(57)【要約】【課題】エッジライトによる表示板は通常片面である。両面を発光させたい時は片面発光の板を背中合わせに組んで、両面を発光させる必要がある。この事で厚く重くなる。また、片面発光の表示板を組み立てる時、組み立てる資材や労務費が必要となる。【解決手段】LEDが2列に並んだエッジライトと2枚の導光板及び反射シート1枚、光拡散シート2枚を合わせて１体化し、1本のアルミフレームに収める。薄く、軽い両面発光の表示板が実現できる。【選択図】図２
2011028018.tif 000002
【特許請求の範囲】
【請求項１】
看板等表示板で,表面と裏面を同時に発光させる装置であり、1本のプリント基板にLEDを2列に並べて点灯し、表裏同時に発光させる表示板とエッジライト。
【請求項２】
細いプリント基板にLEDチップを2列に並べて、それぞれの列に導光板を組み合わせると2枚の導光板が同時に発光する、導光板と導光板の間に両面反射シートを設けることで、表面と裏面が効率よく発光する、前記請求項１に記するエッジライト。
【請求項３】
LEDチップを2列に並べる時、導光板の機能から推定して、LEDの列の間隔を２ｍｍから８ｍｍまでの間になるように設けた、前期請求項1に記するエッジライト。
【請求項４】
LEDを2列に配置したエッジライト1本と導光板2枚と、その中央に両面反射シート1枚を挟み、導光板の表面に光拡散シートを取り付け、全体を一体化させた、表裏が発光する構造とした、前記請求項１に記する表示板。
【発明の詳細な説明】
【技術分野】
【０００１】
本発明は、LEDによるエッジライトの機能拡大技術である。LEDの輝度向上により狭く小さいスペースから強い光を発することが可能となる。このため効率よく光を供給し、導光板と組み合わせて、大きく明るい表示板が実現しつつある。
【背景技術】
【０００２】
LEDにより薄い導光板の幅に合わせた狭い幅で強力に発光するエッジライトの光を、導光板の片面に設けられた光転換部が、効率よく光転換が出来るようになり、大きく明るい発光表示板の実用化が進みつつある。
【０００３】
LEDによるエッジライトの出現で、少ない消費電力で光源の交換回数が大幅に削減できる長寿命の発光表示板が実現できた。
【０００４】
エッジライトの光は導光板内を進む、この光を効率よく方向転換して、表示板面に均一な光の面を作り出す技術が出来た。
【０００５】
光が方向転換して、表示板の盤面に出てくる、この光を光拡散シートで更に均一に分散して、光のムラの無い面状の発光板を実現する技術が出来た。
【特許文献１】特開２０００−３０５４９７特開２００８−９６５８９特開２００８−１６６２００
【発明の開示】
【発明が解決しようとする課題】
【０００６】
エッジライトによる表示板は,通常片面発光である。裏面を発光させるには、片面発光の表示板を背中合わせに組んで、両面を発光させる必要がある。背中合わせにする事で厚くなり、重くなる。
【０００７】
片面発光の表示板を背中合わせに組み立てるとき、サイズの調整や組み立てる部品が必要となる、2枚組み立てる為の部品や労務費が必要となる。
【０００８】
2枚の表示板をそれぞれ配線する為，配線コードの処理が複雑となり、外観がシンプルな仕上がりとならず、表示板の効果を損なう。
【課題を解決するための手段】
【０００９】
LEDが2列に並んだエッジライトと2枚の導光板を合わせて1本のアルミフレームに収める、LEDが2列に並んでいるので、2枚の導光板はそのまま発光する。使用する材料は最小限で済み、薄く軽量に仕上げることが出来る。
【００１０】
アルミフレーム、エッジライトは1本で仕上げることが出来る。構造が簡素で組み立ての失敗や表裏のサイズ違いによるトラブルは起こりにくい。
【００１１】
エッジライトは1本であり、リード線として取り出す配線も1本である。外観はシンプルで、表示板としての効果を最大限発揮出来る。
【００１２】
2枚の導光板の間に両面反射するシートを1枚挟む。導光板の光転換部で乱発光する光を効率よく盤面へ向かわせる事で、両面発光が可能となる。
【００１３】
盤面に出てきた光を、光拡散シートで均一に拡散する。この事で広く、明るく、均一な光の面が実現する。
【００１４】
導光板2枚、反射シート1枚、光拡散板2枚、エッジライト1本、アルミフレーム1本を1体化させる、必要最小限の材料で、シンプルな両面発光表示板が出来る。
【発明の効果】
【００１５】
薄く、軽量な両面発光の表示板はあらゆる案内看板として用途が広がる。狭い通路や店舗内の限られた空間で、表面、裏面へ案内表示することが出来る。
【００１６】
１本のエッジライトで２枚の導光板を発光させる為、表面、裏面の光の強さを常に同じに維持することが出来る。
【００１７】
片面表示板を背中合わせで２枚使うのに比べ、使用する資材が少なく、また、組立工程も簡素で、製造コストが低減できる。
【発明を実施するための最良の形態】
【００１８】
図―１に示す通り、表示板の表面（１）と裏面（２）を同時に発光させる。
表面と裏面の中央に，両面反射シート（７）を挟んだ構成となっており、全体が１枚の板状に一体化されている。
【００１９】
図―２に示す通り、２枚の導光板の片方側面にLEDの発光部が並んでいる。そこから光を取り入れて、導光板の片面の光転換部（１４）で光を方向転換させる。
【００２０】
光転換部で乱発光する光を反射シートで表面（１）又は裏面（２）にの方向へ反射させる。反射された光は表面の光拡散シート（６）により均一な光の面となり、表示板の効果を発揮する。
【００２１】
図―３は断面の拡大図である。LED（８）からの光は導光板（５）を通り、光転換部（１４）に当たり表示板の表面（１）及び裏面（２）に向かう。その表面に設けられた光拡散シートにより混合され、均一な光の面が出来る。
【００２２】
図―４はエッジライトの構造図である。細いプリント基板（９）にLEDが２列に並んで配線されている。プリント基板には電極の幹線が設けられており、そこからLED数個と電流制御回路（１０）が支配線（１２）により接続されており、安定した点灯を実現する。
【００２３】
プリント基板（９）に設けられた電極の幹線（１１）はリード線（１３）により外部へ接続する。エッジライトは１本であり接続のリード線（１３）も１組となる。
【００２４】
図−５はエッジライトの断面図である。２列のLEDの間隔は２枚の導光板の厚さから換算して、LEDの間隔（１５）は２ｍｍから８ｍｍまでの間が適している。
【実施例１】
【００２５】
図―１の表示板の表面（１）と裏面（２）の表示板の表面に透光性のある印刷物を貼付して点灯する。これにより暗い所でも両面が明確に見える表示物を掲示できる。
【００２６】
両面を同時に表示することで、通路などでの掲示で、左右両方の通行者への掲示が可能となり、表示効果が倍加する。
【００２７】
両面表示板は薄い、展示会などでの限られたスペースで掲示する時は、より多くを掲示できその効果を発揮する。
【００２８】
一体化された両面表示板は軽い、取り付ける器具も軽微であり、万一落下しても危険性は低い。
【００２９】
一体化された表示板の配線は簡素である、1本のリード線で済み、回線上の故障も少なく配線も簡単である。
【００３０】
両面表示板は間仕切り板に組み込むことが出来る。表面への対象者向け表示と，裏面への対象者向け表示を同時に出来る。
【図面の簡単な説明】
【００３１】
【図１】表示板の表面と裏面
【図２】表示板の断面図
【図３】断面の拡大図
【図４】エッジライトの構造図
【図５】エッジライトの断面図
【符号の説明】
【００３２】
１  表示板の表面
２  表示板の裏面
３  アルミフレーム（小）
４  アルミフレーム（大）
５  導光板
６  光拡散シート
７  両面反射シート
８  LED
９  プリント基板
１０  電流制御回路
１１  電極幹線
１２  電極支線
１３  リード線
１４  光転換部
１５  LED列の間隔
【図１】
2011028018.tif 000003
【図３】
2011028018.tif 000004
【図４】
2011028018.tif 000005
【図５】
2011028018.tif 000006
【図２】
2011028018.tif 000007